(57)【要約】【課題】印刷ジョブを指示する際のユーザーの利便性を向上できる画像形成装置を提供する。【解決手段】本発明に係る画像形成装置１００は、画像形成部１４と、受付け部と、制御部２１とを備える。画像形成部１４は、複数のシートに複数の画像を形成する。受付け部４は、シートＰに対する画像の配置を示す配置情報を含む印刷ジョブを受け付ける。制御部２１は、印刷ジョブに基づいて画像形成部１４を制御する。複数の画像の各々は、１ページ分の画像データによって表される画像を示す。１つの印刷ジョブは、互いに異なる複数の配置情報にしたがって複数の画像を複数のシートに形成する指示を含む。【選択図】図１
2020112652.tif 000002
【特許請求の範囲】
【請求項１】
複数のシートに複数の画像を形成する画像形成部と、
シートに対する画像の配置を示す配置情報を含む印刷ジョブを受け付ける受付け部と、
前記印刷ジョブに基づいて前記画像形成部を制御する制御部と
を備え、
前記複数の画像の各々は、１ページ分の画像データによって表される画像を示し、
１つの前記印刷ジョブは、互いに異なる複数の前記配置情報にしたがって前記複数の画像を前記複数のシートに形成する指示を含む、画像形成装置。
【請求項２】
前記配置情報は、第１配置情報を含み、
前記第１配置情報は、１枚の前記シートの１対の主面のうちの一方の主面に１つの画像を配置することを示し、
前記制御部は、
前記第１配置情報を前記複数の画像のうちの１以上の画像に割り当て、
前記複数の配置情報のうち前記第１配置情報と異なる配置情報を、前記複数の画像のうちの１以上の画像に割り当て、
前記画像形成部が、前記第１配置情報及び前記異なる配置情報にしたがって、前記複数のシートに前記複数の画像を形成するように、前記画像形成部を制御する、請求項１に記載の画像形成装置。
【請求項３】
前記配置情報は、第２配置情報を含み、
前記第２配置情報は、１枚の前記シートの１対の主面の各々に１つ画像を配置することを示し、
前記制御部は、
前記第２配置情報を前記複数の画像のうちの１以上の画像に割り当て、
前記複数の配置情報のうち前記第２配置情報と異なる配置情報を、前記複数の画像のうちの１以上の画像に割り当て、
前記画像形成部が、前記第２配置情報及び前記異なる配置情報にしたがって、前記複数のシートに前記複数の画像を形成するように、前記画像形成部を制御する、請求項１または請求項２に記載の画像形成装置。
【請求項４】
前記配置情報は、第３配置情報を更に含み、
前記第３配置情報は、１枚の前記シートの１対の主面のうちの一方の主面に２以上の画像を配置することを示し、
前記制御部は、
前記第３配置情報を前記複数の画像のうちの１以上の画像に割り当て、
前記複数の配置情報のうち前記第３配置情報と異なる配置情報を、前記複数の画像のうちの１以上の画像に割り当て、
前記画像形成部が、前記第３配置情報及び前記異なる配置情報にしたがって、前記複数のシートに前記複数の画像を形成するように、前記画像形成部を制御する、請求項１から請求項３のいずれか１項に記載の画像形成装置。
【請求項５】
前記配置情報は、第４配置情報を更に含み、
前記第４配置情報は、１枚の前記シートの１対の主面の各々に２以上の画像をそれぞれ配置することを示し、
前記制御部は、
前記第４配置情報を前記複数の画像のうちの１以上の画像に割り当て、
前記複数の配置情報のうち前記第４配置情報と異なる前記配置情報を、前記複数の画像のうちの１以上の画像に割り当て、
前記画像形成部が、前記第４配置情報及び前記異なる配置情報にしたがって、前記複数のシートに前記複数の画像を形成するように、前記画像形成部を制御する、請求項１から請求項４のいずれか１項に記載の画像形成装置。
【請求項６】
前記制御部は、
前記複数の画像の各々からキーワードを検出し、
前記キーワードを含む前記画像に対して、前記複数の配置情報のうち前記キーワードが示す配置情報を割り当て、
前記複数の配置情報のうち前記キーワードが示す配置情報と異なる配置情報を、前記複数の画像のうちの１以上の画像に割り当て、
前記画像形成部が、前記キーワードが示す配置情報及び前記異なる配置情報にしたがって、前記複数のシートに前記複数の画像を形成するように、前記画像形成部を制御する、請求項１から請求項５のいずれか１項に記載の画像形成装置。
【請求項７】
前記制御部は、
前記複数の画像の各々から閾値以上の大きさの記号を検出し、
前記複数の画像のうち前記記号を含む画像を、前記記号を含む前記画像の直前に位置する画像が形成されるシートと異なるシートに形成するように、前記画像形成部を制御する、請求項１から請求項６のいずれか１項に記載の画像形成装置。
【請求項８】
前記制御部は、
前記複数の画像ごとに、前記画像がカラーであるか否かを判定し、
前記カラーであると判定された前記画像をモノクロに変更する、請求項１から請求項７のいずれか１項に記載の画像形成装置。
【発明の詳細な説明】
【技術分野】
【０００１】
本発明は、画像形成装置に関する。
【背景技術】
【０００２】
一般に、シートの両面に印刷できるプリンター装置が知られている。特許文献１に記載のプリンター装置は、受信部と、印刷機構とを備える。受信部は、ユーザーから印刷ジョブを受信する。印刷ジョブは、両面印刷の選択が含まれる。印刷機構は、シートに情報を印刷する。特許文献１に記載のプリンター装置によれば、シートの両面に情報を印刷できる。
【先行技術文献】
【特許文献】
【０００３】
【特許文献１】米国特許出願公開第２００５／００７３６９６号明細書
【発明の概要】
【発明が解決しようとする課題】
【０００４】
しかしながら、特許文献１に記載のプリンター装置では、片面印刷と両面印刷とのような互いに異なる複数の配置情報を１つの印刷ジョブに含めることができない。したがって、ユーザーには、互いに異なる複数の配置情報ごとに印刷ジョブを指示することを要求される。その結果、ユーザーは、１つのドキュメントに対して印刷ジョブの指示を複数回実行する必要があり、印刷ジョブを指示する際のユーザーの利便性が充分でなかった。
【０００５】
本発明は上記課題に鑑みてなされたものであり、印刷ジョブを指示する際のユーザーの利便性を向上できる画像形成装置を提供することを目的とする。
【課題を解決するための手段】
【０００６】
本発明に係る画像形成装置は、画像形成部と、受付け部と、制御部とを備える。前記画像形成部は、複数のシートに複数の画像を形成する。前記受付け部は、シートに対する画像の配置を示す配置情報を含む印刷ジョブを受け付ける。前記制御部は、前記印刷ジョブに基づいて前記画像形成部を制御する。前記複数の画像の各々は、１ページ分の画像データによって表される画像を示す。１つの前記印刷ジョブは、互いに異なる複数の前記配置情報にしたがって前記複数の画像を前記複数のシートに形成する指示を含む。
【発明の効果】
【０００７】
本発明の画像形成装置によれば、印刷ジョブを指示する際のユーザーの利便性を向上できる。
【図面の簡単な説明】
【０００８】
【図１】本発明の実施形態１に係る画像形成装置の構成を示す図である。
【図２】実施形態１に係るタッチパネル部に表示されたコピー画面を示す図である。
【図３】実施形態１の印刷ジョブの配置情報を設定する設定画面を示す図である。
【図４】（ａ）は、実施形態１の両面に画像が形成されたシートを示す図である。（ｂ）は、実施形態１の両面に画像が形成されたシートを示す別の図である。（ｃ）は、実施形態１の片面に画像が形成された複数のシート示す別の図である。
【図５】実施形態１の第１配置情報を割り当てる画像を選択するための第１選択画面を示す図である。
【図６】実施形態１の第２配置情報を割り当てる画像を選択するための第２選択画面を示す図である。
【図７】実施形態１の第３配置情報を割り当てる画像を選択するための第３選択画面を示す図である。
【図８】（ａ）は、実施形態１の片面に複数の画像が形成されたシートを示す。（ｂ）は、実施形態１の両面に画像が形成されたシートを示す図である。（ｃ）は、実施形態１の片面に画像が形成された複数のシート示す別の図である。
【図９】実施形態１の第４配置情報を割り当てる画像を選択するための第４選択画面を示す図である。
【図１０】（ａ）は、実施形態１の両面に複数の画像が形成されたシートを示す。（ｂ）は、実施形態１の両面に複数の画像が形成されたシートを示す。（ｃ）は、実施形態１の片面に画像が形成された複数のシートを示す別の図である。
【図１１】実施形態１の制御部が実行する処理のフローチャートを示す図である。
【図１２】実施形態１の制御部が実行する割り当て処理を示すフローチャートを示す図である。
【図１３】（ａ）は、本発明の実施形態２に係る画像読取ユニットが読み取った画像を示す図である。（ｂ）は、実施形態２の画像読取ユニットが読み取った別の画像を示す図である。（ｃ）は、実施形態２の画像読取ユニットが読み取った更に別の画像を示す図である。
【図１４】（ａ）は、実施形態２の片面に画像が形成されたシート示す図である。（ｂ）は、実施形態２の両面に複数の画像が形成されたシートを示す。
【図１５】実施形態２の制御部が実行する処理のフローチャートを示す図である。
【図１６】（ａ）は、本発明の実施形態３に係る画像読取ユニットが読み取った画像を示す図である。（ｂ）は、実施形態３の画像読取ユニットが読み取った別の画像を示す図である。（ｃ）は、実施形態３の画像読取ユニットが読み取った更に別の画像を示す図である。（ｄ）は、実施形態３の画像読取ユニットが読み取った更に別の画像を示す図である。（ｅ）は、実施形態３の画像読取ユニットが読み取った更に別の画像を示す図である。（ｆ）は、実施形態３の画像読取ユニットが読み取った更に別の画像を示す図である。
【図１７】（ａ）は、実施形態３の画像形成装置が画像を形成したシートを示す図である。（ｂ）は、実施形態３の画像形成装置が画像を形成した別のシートを示す図である。（ｃ）は、実施形態３の画像形成装置が画像を形成した更に別のシートを示す図である。（ｄ）は、実施形態３の画像形成装置が画像を形成した更に別のシートを示す図である。
【図１８】実施形態３の制御部が実行する処理のフローチャートを示す図である。
【図１９】本発明の実施形態４の制御部が実行する処理のフローチャートを示す図である。
【発明を実施するための形態】
【０００９】
以下、本発明の実施形態について、図面を参照しながら説明する。なお、図中、同一または相当部分については同一の参照符号を付して説明を繰り返さない。また、本発明の実施形態において、Ｘ軸、Ｙ軸、及びＺ軸は互いに直交し、Ｘ軸及びＹ軸は水平方向に平行であり、Ｚ軸は鉛直方向に平行である。
【００１０】
［実施形態１］
まず、図１を参照して、本発明の実施形態１に係る画像形成装置１００の構成について説明する。図１は、画像形成装置１００の構成を示す図である。画像形成装置１００は、カラー複合機である。また、画像形成装置１００は、パーソナルコンピューターと通信可能に接続されていてもよい。
【００１１】
図１に示すように、画像形成装置１００は、画像形成ユニット１、画像読取ユニット２、原稿搬送ユニット３、及び操作表示部４を備える。画像形成ユニット１は、シートＰに画像を形成する。画像読取ユニット２は、原稿Ｒに形成された画像を読み取り、画像を示す画像データを生成する。原稿搬送ユニット３は、原稿Ｒを画像読取ユニット２に搬送する。
【００１２】
操作表示部４は、タッチパネル４１と、操作ボタン４２とを備える。タッチパネル４１は、表示装置４３とタッチセンサー４５とを備える。表示装置４３は種々の画像を表示する。表示装置４３は、例えば液晶表示装置（Ｌｉｑｕｉｄ  Ｃｒｙｓｔａａｌ  Ｄｉｓｐｌａｙ：ＬＣＤ）である。タッチセンサー４５はユーザーからの操作を受け付ける。また、操作ボタン４２はユーザーからの操作を受け付ける。具体的には、タッチセンサー４５及び操作ボタン４２は、印刷ジョブを受け付ける。タッチセンサー４５と操作ボタン４２との各々は、「受付け部」の一例に相当する。
【００１３】
タッチパネル４１は、ユーザーからの操作を受け付ける度に、ユーザーからの操作の内容を示す操作情報を生成する。具体的には、タッチパネル４１には、複数のアイコンが表示される。そして、ユーザーは、アイコンをタップする。タッチパネル４１は、操作情報として、アイコンがタップされたことを示す情報を生成する。
【００１４】
操作表示部４は、ユーザーからの操作に基づいて、タッチパネル４１に表示する画面画像を変更する。具体的には、操作表示部４は、タッチパネル４１に表示された複数のアイコンのうち、ユーザーによって操作されたアイコンに対応する画面画像をタッチパネル４１に表示する。また、操作表示部４は、タッチパネル４１に表示する画面画像に対応する画面画像情報を、記憶部２２から読み出す。
【００１５】
画像形成ユニット１は、搬送機構１１、給送部１２、トナー供給部１３、画像形成部１４、定着部１５、排出部１６、制御部２１及び記憶部２２を備える。画像形成ユニット１は、搬送路Ｌを有する。
【００１６】
搬送路Ｌは、給送部１２から排出部１６までシートＰを案内する。搬送路Ｌは、給送部１２から排出部１６まで延びる。
【００１７】
搬送機構１１は、シートＰを搬送する。具体的には、搬送機構１１は、シートＰを画像形成部１４及び定着部１５を経由して排出部１６まで搬送する。また、搬送機構１１は、定着部１５で画像が定着されたシートＰを画像形成部１４へ搬送できる。画像が定着されたシートＰを画像形成部１４へ搬送する処理は、スイッチバック処理とも呼ばれる。スイッチバック処理は、シートＰの１対の主面の各々に画像を形成する場合に実行される。
【００１８】
搬送機構１１は、搬送ローラー１１ａと、レジストローラー１１ｂとを含む。
【００１９】
搬送ローラー１１ａは、給送部１２から送出されたシートＰをレジストローラー１１ｂへ搬送する。搬送ローラー１１ａは搬送路Ｌに配置される。
【００２０】
レジストローラー１１ｂは、画像形成部１４にシートＰを搬送するタイミングを調整する。レジストローラー１１ｂは、所定の間隔でシートＰを画像形成部１４へ搬送する。レジストローラー１１ｂは、搬送路Ｌに配置される。レジストローラー１１ｂは、画像形成部１４よりもシートＰの搬送方向の上流側に配置される。
【００２１】
給送部１２は、シートＰを搬送路Ｌへ供給する。シートＰは、例えば、普通紙、コピー紙、再生紙、薄紙、厚紙、または光沢紙、またはＯＨＰ（Ｏｖｅｒｈｅａｄ  Ｐｒｏｊｅｃｔｏｒ）用紙である。
【００２２】
トナー供給部１３には、複数のトナーコンテナが装着される。複数のトナーコンテナのうちの１つは、シアン色のトナーが収納される。複数のトナーコンテナのうちの１つは、マゼンタ色のトナーが収納される。複数のトナーコンテナのうちの１つは、イエロー色のトナーが収納される。複数のトナーコンテナのうちの１つは、黒色のトナーが収納される。
【００２３】
画像形成部１４は、画像をシートＰに形成する。具体的には、画像形成部１４は、複数のシートＰに複数の画像を形成する。画像形成部１４は、転写部を備える。転写部は、画像をシートＰに転写する。その結果、シートＰに画像が形成される。
【００２４】
画像形成部１４は、複数の画像形成部を備える。複数の画像形成部のうちの１つは、シアン色のトナー像を形成する。複数の画像形成部のうちの１つは、マゼンタ色のトナー像を形成する。複数の画像形成部のうちの１つは、イエロー色のトナー像を形成する。複数の画像形成部のうちの１つは、ブラック色のトナー像を形成する。
【００２５】
画像形成部１４は、転写部と、像担持体と、帯電部と、露光部と、現像部とを備える。
【００２６】
転写部は、トナー画像をシートＰに転写する。転写部は、中間転写ベルトを備える。中間転写ベルトは、無端状のベルトである。中間転写ベルトには、複数色のトナー像が形成される。具体的には、中間転写ベルトには、複数の画像形成部１４が中間転写ベルトにトナー像を形成する。この結果、複数色のトナー像が中間転写ベルト上で重畳され、中間転写ベルト上に画像が形成される。そして、中間転写ベルトに形成された画像は、シートＰに転写される。その結果、シートＰに画像が形成される。
【００２７】
像担持体は、ドラム形状であり、回転軸を有する。像担持体は、回転軸を中心に時計回りに回転する。像担持体は、外周面側に感光層を有する。
【００２８】
帯電部は像担持体の感光層を所定の電位に帯電する。露光部は、像担持体の感光層にレーザー光を照射して露光する。露光部は画像データに基づいて像担持体を露光する。この結果、像担持体に静電潜像が形成される。
【００２９】
現像部は像担持体上の静電潜像を現像する。現像部は現像ローラーを有する。現像ローラーは、像担持体にトナーを供給し、像担持体上の静電潜像を現像してトナー画像を形成する。この結果、像担持体の外周面にトナー画像が形成される。
【００３０】
転写部は、像担持体の外周面に形成されたトナー画像をシートＰに転写する。その結果、シートＰにトナー画像が転写される。
【００３１】
定着部１５は、シートＰを加熱及び加圧し、シートＰに形成された画像をシートＰに定着する。具体的には、定着部１５は、シートＰを加熱及び加圧し、シートＰに形成されたトナー画像をシートＰに定着する。定着部１５は、加熱ローラー１５１と加圧ローラー１５２とを含む。加熱ローラー１５１は、回転軸を有する円筒形状を有しており、回転軸を中心に回転する。加熱ローラー１５１は加熱装置によって加熱される。加熱装置は、例えば、ハロゲンヒーターである。加熱装置は、加熱ローラー１５１の内側に配置されて、加熱ローラー１５１を加熱する。
【００３２】
排出部１６は、シートＰを画像形成装置１００の外部へ排出する。定着部１５がトナー画像をシートＰに定着させた後、搬送機構１１はシートＰを定着部１５から排出部１６まで搬送する。そして、排出部１６はトナー画像の定着したシートＰを画像形成装置１００の外部に排出する。
【００３３】
制御部２１は、画像形成装置１００の動作を制御する。制御部２１は、プロセッサーと記憶部２２とを備える。プロセッサーは、例えばＣＰＵ（Ｃｅｎｔｒａｌ  Ｐｒｏｃｅｓｓｉｎｇ  Ｕｎｉｔ）を備える。記憶部２２は、記憶装置を含む。具体的には、記憶部２２は、半導体メモリーのようなメモリーを備え、ＨＤＤ（Ｈａｒｄ  Ｄｉｓｋ  Ｄｒｉｖｅ）を備えてもよい。記憶部２２は、制御プログラムを記憶している。プロセッサーは、制御プログラムを実行して、操作表示部４、搬送機構１１、給送部１２、画像形成部１４、定着部１５、及び排出部１６を制御する。プロセッサーは、例えば、印刷ジョブに基づいて画像形成部１４を制御する。印刷ジョブは、モノクロ及びカラーの別、配置情報、印刷部数等の印刷条件が含まれる。配置情報は、シートＰに対する画像の配置を示す。
【００３４】
次に、図２を参照してタッチパネル部４１に表示されたコピー画面５０について説明する。図２は、タッチパネル部４１に表示されたコピー画面５０を示す図である。コピー画面５０は、画像形成装置１００のコピー機能を選択する操作ボタン４２を操作することで、タッチパネル部４１に表示される。コピー画面５０には、用紙選択アイコン５１、縮小／拡大アイコン５２、濃度設定アイコン５３、両面／集約設定アイコン５４、ソート／仕分け設定アイコン５６、機能一覧アイコン５７、及び、お気に入りアイコン５８が表示されている。
【００３５】
用紙選択アイコン５１は、シートＰのサイズを選択する場合に、ユーザーによって操作される。縮小／拡大アイコン５２は、シートＰに形成された画像を拡大または縮小する場合に、ユーザーによって操作される。濃度設定アイコン５３は、コピー濃度を設定する場合に、ユーザーによって操作される。両面／集約設定アイコン５４は、両面または片面の設定、及び「２ｉｎ１」のようなページ集約の条件を設定をする場合に、ユーザーによって操作される。ソート／仕分け設定アイコン５６は、ソート有無のような仕分け条件を設定する場合に、ユーザーによって操作される。機能一覧アイコン５７は、各種の機能を説明する機能一覧画面をタッチパネル４１に表示する場合に、ユーザーによって操作される。お気に入りアイコン５８は、ユーザーが使用する頻度が高いアイコンをタッチパネル４１に表示する場合に、ユーザーによって操作される。
【００３６】
また、図２に示すように、ユーザーの手Ｈ１の指（例えば、人差し指）によって、両面／集約設定アイコン５４がタップされる。この操作に応じて、タッチパネル部４１は、両面／集約設定アイコン５４に対応する画面を表示する。なお、手Ｈ１は、タッチパネル４１に表示されない。
【００３７】
次に、図３を参照して、両面／集約設定アイコン５４に対応する画面を説明する。図３は、印刷ジョブの配置情報を設定する設定画面６０を示す図である。
【００３８】
設定画面６０には、第１配置アイコン６１と、第２配置アイコン６２と、第３配置アイコン６３と、第４配置アイコン６４とが表示される。
【００３９】
第１配置アイコン６１は、タッチ操作を受け付ける。第１配置アイコン６１をタッチ操作することで、第１配置情報が印刷ジョブに含まれる。第１配置情報は、１枚のシートＰの１対の主面のうちの一方の主面に１つの画像を配置する配置情報を示す。つまり、画像に第１配置情報を割り当てる場合、第１配置情報を割り当てられた１つの画像が１枚のシートＰの片面にのみ形成される。第１配置情報は、「片面印刷」とも呼ばれる。
【００４０】
第２配置アイコン６２は、タッチ操作を受け付ける。第２配置アイコン６２をタッチ操作することで、第２配置情報が印刷ジョブに含まれる。第２配置情報は、１枚のシートＰの１対の主面の各々に１つの画像をそれぞれ配置する配置情報を示す。つまり、画像に第２配置情報を割り当てる場合、第２配置情報を割り当てられた画像が１枚のシートＰの表面と裏面との両面に形成される。第２配置情報は、「両面印刷」とも呼ばれる。
【００４１】
第３配置アイコン６３は、タッチ操作を受け付ける。第３配置アイコン６３をタッチ操作することで、第３配置情報が印刷ジョブに含まれる。第３配置アイコン６３は、画像に第３配置情報を割り当てるアイコンを示す。第３配置情報は、１枚のシートＰの１対の主面のうちの一方の主面に２以上の画像を配置する配置情報を示す。つまり、画像に第３配置情報を割り当てる場合、第３配置情報を割り当てられた２以上の画像が１枚のシートＰの片面にのみ形成される。例えば、第３配置情報を割り当てられた２つの画像が１枚のシートＰの片面にのみ形成される。例えば、第３配置情報を割り当てられた４つの画像が１枚のシートＰの片面にのみ形成される。第３配置情報は、「片面２ｉｎ１」または「片面４ｉｎ１」とも呼ばれる。
【００４２】
第４配置アイコン６４は、タッチ操作を受け付ける。第４配置アイコン６４をタッチ操作することで、第４配置情報が印刷ジョブに含まれる。第４配置情報は、１枚のシートＰの１対の主面の各々に２以上の画像をそれぞれ配置する配置情報を示す。つまり、画像に第４配置情報を割り当てる場合、第４配置情報を割り当てられた２以上の画像が１枚のシートＰの両面に形成される。例えば、第４配置情報を割り当てられた２つの画像が１枚のシートＰの両面に形成される。例えば、第４配置情報を割り当てられた４つの画像が１枚のシートＰの両面に形成される。第４配置情報は、「両面２ｉｎ１」または「両面４ｉｎ１」とも呼ばれる。
【００４３】
次に、図３と図４とを参照して、１つの印刷ジョブに複数の配置情報を設定した場合の制御部２１の処理を説明する。図４は、互いに異なる複数の配置情報を含む１つの印刷ジョブを画像形成装置１００が実行して画像が形成された複数のシートＰを示す図である。図４には、画像形成装置１００が画像を形成したシートＰＡ１〜シートＰＡ８が示される。
【００４４】
図４（ａ）は、シートＰの両面に画像が形成されたシートＰを示す図である。シートＰＡ１には、画像Ｇ１と画像Ｇ２とが形成される。画像の各々は、１ページ分の画像データによって表される画像を示す。具体的には、シートＰＡ１の１対の主面のうちの一方の主面に画像Ｇ１が形成される。シートＰＡ１の１対の主面のうちの他方の主面に画像Ｇ２が形成される。画像Ｇ１と画像Ｇ２との各々には、第２配置情報が設定されている。
【００４５】
図４（ｂ）は、シートＰの両面に画像が形成されたシートＰを示す別の図である。シートＰＡ２には、画像Ｇ５と画像Ｇ７とが形成される。具体的には、シートＰＡ２の１対の主面のうちの一方の主面に画像Ｇ５が形成される。シートＰＡ２の１対の主面のうちの他方の主面に画像Ｇ７が形成される。画像Ｇ５と画像Ｇ７との各々には、第２配置情報が設定されている。
【００４６】
図４（ｃ）は、シートＰの片面に画像が形成された複数のシートＰを示す別の図である。シートＰＡ３には、画像Ｇ３が形成される。シートＰＡ４には、画像Ｇ４が形成される。シートＰＡ５には、画像Ｇ６が形成される。シートＰＡ６には、画像Ｇ８が形成される。シートＰＡ７には、画像Ｇ９が形成される。シートＰＡ８には、画像Ｇ１０が形成される。画像Ｇ３と画像Ｇ４と画像Ｇ６と画像Ｇ８と画像Ｇ９と画像Ｇ１０との各々には、第１配置情報が設定されている。
【００４７】
図３に示す設定画面６０では、互いに異なる複数の配置情報を１つの印刷ジョブに設定できる。つまり、１つの印刷ジョブは、互いに異なる複数の配置情報にしたがって複数の画像を複数のシートＰに形成する指示を含む。したがって、互いに異なる配置情報ごとに印刷ジョブを指示する必要がない。この結果、印刷ジョブを指示する際のユーザーの利便性が向上する。
【００４８】
従来の画像形成装置は、１つのドキュメントに含まれる１ページ目の画像と２ページ目の画像とを１枚のシートＰに集約して印刷し、３ページ目の画像を他の１枚のシートＰの片面で印刷する場合、ユーザーは、集約印刷するページ（１ページ目及び２ページ目）に対する印刷ジョブと片面印刷するページ（３ページ目）に対する印刷ジョブとを画像形成装置に指示する必要がある。
【００４９】
しかし、本実施形態の画像形成装置１００が実行する１つの印刷ジョブは、例えば、第１配置情報と第２配置情報とを含むことが可能である。そして、制御部２１は、画像形成装置１００が１つの印刷ジョブに含まれる第１配置情報と第２配置情報とにしたがって複数の画像を複数のシートＰに形成するように、画像形成装置１００を制御する。つまり、１つの印刷ジョブを実行することで、第１配置情報にしたがってシートＰに形成された画像と第２配置情報にしたがってシートＰに形成された画像とを画像形成装置１００が形成できる。
【００５０】
次に、図３〜図５を参照して１つの印刷ジョブに互いに異なる複数の配置情報を含むための処理を説明する。
【００５１】
図５は、第１配置情報を割り当てる画像を選択するための第１選択画面１１０を示す図である。図５に示すように、第１選択画面１１０は、第１表示領域１１１と第２表示領域１１２とを含む。図３に示す第１配置アイコン６１をタッチ操作することで、操作表示部４に図５に示す第１選択画面１１０が表示される。
【００５２】
第１表示領域１１１は、第１選択画面１１０が表示されていることを示す画像１１３と戻るボタン１１４とが表示される。戻るボタン１１４は、画像に第１配置情報を割り当てが完了した場合に、図３に示す設定画面６０に戻るためのボタンである。
【００５３】
第２表示領域１１２には、複数の画像が表示される。複数の画像は、画像Ｇ１〜画像Ｇ１０を含む。複数の画像の各々は、１ページ分の画像データによって表される画像を示す。
【００５４】
図５に示す第２表示領域１１２の画像Ｇ１〜画像Ｇ１０の各々は、タッチ操作を受け付ける。タッチ操作に基づいて、制御部２１は、第１配置情報を複数の画像のうちの１以上の画像に割り当てる。具体的には、制御部２１は、タッチ操作された画像に第１配置情報を割り当てる。
【００５５】
そして、制御部２１は、複数の配置情報のうち第１配置情報と異なる配置情報を、複数の画像のうちの１以上の画像に割り当てる。更に、制御部２１は、画像形成部１４が、第１配置情報及び第１配置情報と異なる配置情報にしたがって、複数のシートＰに複数の画像を形成するように、画像形成部１４を制御する。したがって、第１配置情報を含む印刷ジョブと、第１配置情報と異なる配置情報を含む印刷ジョブとをそれぞれユーザーが指示しなくてよい。この結果、片面印刷に相当する第１配置情報を含む複数の配置情報にしたがって画像形成部１４に画像を形成させる際のユーザーの利便性が向上する。
【００５６】
例えば、図４に示すように、第１配置情報と第２配置情報とを含む１つの印刷ジョブを実行する場合、第１選択画面１１０において、画像Ｇ３と画像Ｇ４とをタッチ操作する。制御部２１は、タッチ操作に基づいて、画像Ｇ３と画像Ｇ４とに第１配置情報を割り当てる。そして、制御部２１は、第２配置情報を選択する選択画面でタッチ操作された画像に第２配置情報を割り当てる。更に、制御部２１は、画像形成部１４が、第１配置情報及び第２配置情報にしたがって、複数のシートＰに複数の画像を形成するように、画像形成部１４を制御する。したがって、１つの印刷ジョブで、画像形成部１４は、片面印刷と両面印刷とを実行できる。なお、ユーザーが配置情報を指定しない画像に対して、第１配置情報が画像に割り当てられてもよい。
【００５７】
次に、図３〜図６を参照して１つの印刷ジョブに第２配置情報と第２配置情報と異なる配置情報とを含むための処理を説明する。
【００５８】
図６は、第２配置情報を割り当てる画像を選択するための第２選択画面１２０を示す図である。第２選択画面１２０は、第１表示領域１２１と第２表示領域１２２とを含む。第１表示領域１２１は、第２選択画面１２０が表示されていることを示す画像１２３と戻るボタン１２４とが表示される。第２表示領域１２２には、画像Ｇ１〜画像Ｇ１０が表示される。図３に示す第２配置アイコン６１２をタッチ操作することで、操作表示部４に図６に示す第２選択画面１２０が表示される。
【００５９】
第２表示領域１２２の画像Ｇ１〜画像Ｇ１０の各々は、タッチ操作を受け付ける。タッチ操作に基づいて、制御部２１は、第２配置情報を複数の画像のうちの１以上の画像に割り当てる。具体的には、制御部２１は、タッチ操作された画像に第２配置情報を割り当てる。
【００６０】
そして、制御部２１は、複数の配置情報のうち第２配置情報と異なる配置情報を、複数の画像のうちの１以上の画像に割り当てる。更に、制御部２１は、画像形成部１４が、第２配置情報及び第２配置情報と異なる配置情報にしたがって、複数のシートＰに複数の画像を形成するように、画像形成部１４を制御する。したがって、第２配置情報を含む印刷ジョブと、第２配置情報と異なる配置情報を含む印刷ジョブとをそれぞれユーザーが指示しなくてよい。この結果、両面印刷に相当する第２配置情報を含む複数の配置情報にしたがって画像形成部１４に画像を形成させる際のユーザーの利便性が向上する。
【００６１】
例えば、図４に示すように、第１配置情報と第２配置情報とを含む１つの印刷ジョブを実行する場合、第２配置情報を選択する選択画面において、画像Ｇ１と画像Ｇ２と画像Ｇ５と画像Ｇ７とをタッチ操作する。制御部２１は、タッチ操作に基づいて、画像Ｇ１と画像Ｇ２と画像Ｇ５と画像Ｇ７とに第２配置情報を割り当てる。なお、第２配置情報は、タッチ操作された順に画像に割り当てられる。そして、制御部２１は、第１選択画面１１０でタッチ操作された画像に第１配置情報を割り当てる。更に、制御部２１は、画像形成部１４が、第２配置情報及び第１配置情報にしたがって、複数のシートＰに複数の画像を形成するように、画像形成部１４を制御する。したがって、１つの印刷ジョブで、画像形成部１４は、両面印刷と片面印刷とを実行できる。
【００６２】
次に、図３と図７と図８とを参照して、１つの印刷ジョブに第３配置情報と第３配置情報と異なる配置情報とを含むための処理を説明する。
【００６３】
図７は、第３配置情報を割り当てる画像を選択するための第３選択画面１３０を示す図である。第３選択画面１３０は、第１表示領域１３１と第２表示領域１３２とを含む。第１表示領域１３１は、第３選択画面１３０が表示されていることを示す画像１３３と戻るボタン１３４とが表示される。第２表示領域１３２には、画像Ｇ１〜画像Ｇ１０が表示される。図３に示す第３配置アイコン６３をタッチ操作することで、操作表示部４に図７に示す第３選択画面１３０が表示される。
【００６４】
図８は、第１配置情報と第２配置情報と第３配置情報とを含む１つの印刷ジョブを画像形成装置１００が実行して画像が形成された複数のシートＰを示す図である。図８には、画像形成装置１００が画像を形成したシートＰＢ１〜シートＰＢ８が示される。
【００６５】
図８（ａ）は、シートＰの片面に複数の画像が形成されたシートＰを示す。シートＰＢ１には、画像Ｇ１と画像Ｇ２とが形成される。具体的には、シートＰＢ１の１対の主面のうちの一方の主面に画像Ｇ１と画像Ｇ２とが形成される。画像Ｇ１と画像Ｇ２との各々には、第３配置情報が設定されている。
【００６６】
図８（ｂ）は、シートＰの両面に画像が形成されたシートＰを示す図である。シートＰＢ２の１対の主面のうちの一方の主面に画像Ｇ５が形成される。シートＰＢ２の１対の主面のうちの他方の主面に画像Ｇ７が形成される。画像Ｇ５と画像Ｇ７との各々には、第２配置情報が設定されている。
【００６７】
図８（ｃ）は、シートＰの片面に画像が形成された複数のシートＰ示す別の図である。シートＰＢ３には、画像Ｇ３が形成される。シートＰＢ４には、画像Ｇ４が形成される。シートＰＢ５には、画像Ｇ６が形成される。シートＰＢ６には、画像Ｇ８が形成される。シートＰＢ７には、画像Ｇ９が形成される。シートＰＢ８には、画像Ｇ１０が形成される。画像Ｇ３と画像Ｇ４と画像Ｇ６と画像Ｇ８と画像Ｇ９と画像Ｇ１０との各々には、第１配置情報が設定されている。
【００６８】
図７に示すように、第３配置情報の第２表示領域１３２に表示された画像Ｇ１〜画像Ｇ１０の各々は、タッチ操作を受け付ける。タッチ操作に基づいて、制御部２１は、第３配置情報を複数の画像のうちの１以上の画像に割り当てる。具体的には、制御部２１は、タッチ操作された画像に第３配置情報を割り当てる。
【００６９】
そして、制御部２１は、複数の配置情報のうち第３配置情報と異なる配置情報を、複数の画像のうちの１以上の画像に割り当てる。更に、制御部２１は、画像形成部１４が、第３配置情報及び第３配置情報と異なる配置情報にしたがって、複数のシートＰに複数の画像を形成するように、画像形成部１４を制御する。したがって、第３配置情報を含む印刷ジョブと、第３配置情報と異なる配置情報を含む印刷ジョブとをそれぞれユーザーが指示しなくてよい。この結果、片面２ｉｎ１に相当する第３配置情報を含む複数の配置情報にしたがって画像形成部１４に画像を形成させる際のユーザーの利便性が向上する。
【００７０】
次に、図３と図９と図１０を参照して、１つの印刷ジョブに第４配置情報と第４配置情報と異なる配置情報を含むための処理を説明する。
【００７１】
図９は、第４配置情報を割り当てる画像を選択するための第４選択画面１４０を示す図である。第４選択画面１４０は、第１表示領域１４１と第２表示領域１４２とを含む。第１表示領域１４１は、第４選択画面１４０が表示されていることを示す画像１４３と戻るボタン１４４とが表示される。第２表示領域１４２には、画像Ｇ１〜画像Ｇ１０が表示される。図３に示す第４配置アイコン６４をタッチ操作することで、操作表示部４に図８に示す第４選択画面１４０が表示される。
【００７２】
図１０は、第１配置情報と第２配置情報と第４配置情報とを含む１つの印刷ジョブを画像形成装置１００が実行して画像が形成された複数のシートＰを示す図である。図１０には、画像形成装置１００が画像を形成したシートＰＣ１〜シートＰＣ６が示される。
【００７３】
図１０（ａ）は、シートＰの両面に複数の画像が形成されたシートＰを示す。シートＰＣ１には、画像Ｇ１と画像Ｇ２と画像Ｇ３と画像Ｇ４とが形成される。具体的には、シートＰＣ１の１対の主面のうちの一方の主面に画像Ｇ１と画像Ｇ２とが形成される。そして、シートＰＣ１の１対の主面のうちの他方の主面に画像Ｇ３と画像Ｇ４とが形成される。画像Ｇ１と画像Ｇ２と画像Ｇ３と画像Ｇ４との各々には、第４配置情報が設定されている。
【００７４】
図１０（ｂ）は、シートＰの両面に複数の画像が形成されたシートＰを示す。シートＰＣ２の１対の主面のうちの一方の主面に画像Ｇ５が形成される。シートＰＣ２の１対の主面のうちの他方の主面に画像Ｇ７が形成される。画像Ｇ５と画像Ｇ７との各々には、第２配置情報が設定されている。
【００７５】
図１０（ｃ）は、シートＰの片面に画像が形成された複数のシートＰを示す別の図である。シートＰＣ３には、画像Ｇ６が形成される。シートＰＣ４には、画像Ｇ８が形成される。シートＰＣ５には、画像Ｇ９が形成される。シートＰＣ６には、画像Ｇ１０が形成される。画像Ｇ６と画像Ｇ８と画像Ｇ９と画像Ｇ１０との各々には、第１配置情報が設定されている。
【００７６】
図９に示すように、第４配置情報の第２表示領域１４２に表示された画像Ｇ１〜画像Ｇ１０の各々は、タッチ操作を受け付ける。タッチ操作に基づいて、制御部２１は、第４配置情報を複数の画像のうちの１以上の画像に割り当てる。具体的には、制御部２１は、タッチ操作された画像に第４配置情報を割り当てる。
【００７７】
そして、制御部２１は、複数の配置情報のうち第４配置情報と異なる配置情報を、複数の画像のうちの１以上の画像に割り当てる。更に、制御部２１は、画像形成部１４が、第４配置情報及び第４配置情報と異なる配置情報にしたがって、複数のシートＰに複数の画像を形成するように、画像形成部１４を制御する。したがって、第４配置情報を含む印刷ジョブと、第４配置情報と異なる配置情報を含む印刷ジョブとをそれぞれユーザーが指示しなくてよい。この結果、両面２ｉｎ１に相当する第３配置情報を含む複数の配置情報にしたがって画像形成部１４に画像を形成させる際のユーザーの利便性が向上する。
【００７８】
次に、図１〜図１１を参照して、制御部２１が実行する処理を説明する。図１１は、制御部２１が実行する処理のフローチャートを示す図である。制御部２１が実行する処理は、ステップＳ１０１〜ステップＳ１０５を含む。
【００７９】
ステップＳ１０１において、制御部２１は、印刷ジョブを受け付けるまで待機する。処理は、ステップＳ１０３に進む。
【００８０】
ステップＳ１０３において、制御部２１は、割り当て処理を実行する。割り当て処理については、図１２を参照して後述する。処理は、ステップＳ１０５に進む。
【００８１】
ステップＳ１０５において、制御部２１は、割り当て処理で割り当てた配置情報に基づいて、画像形成部１４がシートＰに画像を形成するように、画像形成部１４を制御する。処理は終了する。
【００８２】
次に、図１２を参照して、割り当て処理を詳しく説明する。図１２は、制御部２１が実行する割り当て処理を示すフローチャートを示す図である。割り当て処理は、ステップＳ２０１〜Ｓ２１５を含む。
【００８３】
ステップＳ２０１において、制御部２１は、印刷ジョブに第１配置情報を含むか否かを判定する。印刷ジョブに第１配置情報を含まない場合（ステップＳ２０１において、Ｎｏ）、処理は、ステップＳ２０５に進む。印刷ジョブに第１配置情報を含む場合（ステップＳ２０１において、Ｙｅｓ）、処理は、ステップＳ２０３に進む。
【００８４】
ステップＳ２０１でＹｅｓの場合、ステップＳ２０３において、制御部２１は、画像に第１配置情報を割り当てる。具体的には、制御部２１は、第１選択画面１１０で選択された画像に対して第１配置情報を割り当てる。処理はステップＳ２０５に進む。
【００８５】
ステップＳ２０１でＮｏの場合、または、ステップＳ２０３で画像に第１配置情報を割り当てた後、ステップＳ２０５において、制御部２１は、印刷ジョブに第２配置情報を含むか否かを判定する。印刷ジョブに第２配置情報を含まない場合（ステップＳ２０５において、Ｎｏ）、処理は、ステップＳ２０９に進む。印刷ジョブに第２配置情報を含む場合（ステップＳ２０５において、Ｙｅｓ）、処理は、ステップＳ２０７に進む。
【００８６】
ステップＳ２０５でＹｅｓの場合、ステップＳ２０７において、制御部２１は、画像に第２配置情報を割り当てる。具体的には、制御部２１は、第２選択画面１２０で選択された画像に対して第２配置情報を割り当てる。処理はステップＳ２０９に進む。
【００８７】
ステップＳ２０５でＮｏの場合、または、ステップＳ２０７で画像に第２配置情報を割り当てた後、ステップＳ２０９において、制御部２１は、印刷ジョブに第３配置情報を含むか否かを判定する。印刷ジョブに第３配置情報を含まない場合（ステップＳ２０９において、Ｎｏ）、処理は、ステップＳ２１３に進む。印刷ジョブに第３配置情報を含む場合（ステップＳ２０９において、Ｙｅｓ）、処理は、ステップＳ２１１に進む。
【００８８】
ステップＳ２０９でＹｅｓの場合、ステップＳ２１１において、制御部２１は、画像に第３配置情報を割り当てる。具体的には、制御部２１は、第３選択画面１３０で選択された画像に対して第３配置情報を割り当てる。処理はステップＳ２１３に進む。
【００８９】
ステップＳ２０９でＮｏの場合、または、ステップＳ２１１で画像に第３配置情報を割り当てた後、ステップＳ２１３において、制御部２１は、印刷ジョブに第４配置情報を含むか否かを判定する。印刷ジョブに第４配置情報を含まない場合（ステップＳ２１３において、Ｎｏ）、処理は図１０に示すステップＳ１０５に進む。印刷ジョブに第４配置情報を含む場合（ステップＳ２１３において、Ｙｅｓ）、処理は、ステップＳ２１５に進む。
【００９０】
ステップＳ２１３でＹｅｓの場合、ステップＳ２１５において、制御部２１は、画像に第４配置情報を割り当てる。具体的には、制御部２１は、選択画面で選択された画像に対して第４配置情報を割り当てる。処理は図１０に示すステップＳ１０５に進む。
【００９１】
［実施形態２］
次に、図１と図１３と図１４とを参照して、本発明の実施形態２に係る制御部２１が実行する処理を説明する。
【００９２】
実施形態２に係る制御部２１が実行する処理は、キーワードＫＥに基づいて配置情報を割り当てる処理を含む。実施形態２に係る画像形成装置１００のその他の構成は、実施形態１に係る画像形成装置１００の構成と同様であり、説明を省略する。以下、主に実施形態２が実施形態１と異なる点を説明する。
【００９３】
図１３は、画像読取ユニット２が読み取った画像を示す図である。画像読取ユニット２は、記号を認識する。記号の認識には、ＯＣＲ（Ｏｐｔｉｃａｌ  Ｃｈａｒａｃｔｅｒ  Ｒｅｃｏｇｎｉｔｉｏｎ）等の公知の任意の手法を使用することができる。
【００９４】
図１３（ａ）は、画像読取ユニット２が読み取った画像Ｇ１１を示す図である。図１３（ｂ）は、画像読取ユニット２が読み取った別の画像Ｇ１２を示す図である。図１３（ｂ）に示す画像Ｇ１２は、キーワードＫＥを含む。キーワードＫＥは、配置情報を示す。キーワードＫＥは、例えば、記号である。記号は、文字または文字列を含む。画像Ｇ１２は、キーワードＫＥを含む。キーワードＫＥを示す記号は、例えば「Ｌ２」である。記号Ｌ２は、第２配置情報を示す。図１３（ｃ）は、画像読取ユニット２が読み取った更に別の画像Ｇ１３を示す図である。図１３（ｃ）に示す画像Ｇ１３は、キーワードＫＥを含む。
【００９５】
図１４は、画像形成部１４がキーワードＫＥに基づいて画像を形成したシートＰを示す図である。図１４には、画像形成装置１００が画像を形成したシートＰＤ１とシートＰＤ２が示される。
【００９６】
図１４（ａ）は、シートＰの片面に画像が形成されたシートＰ示す図である。シートＰＤ１には、図１３に示す画像Ｇ１１が形成される。画像Ｇ１１には、第１配置情報が割り当てられている。
【００９７】
図１４（ｂ）は、シートＰの両面に複数の画像が形成されたシートＰを示す。シートＰＤ２の１対の主面のうちの一方の主面に一方の画像Ｇ１２が形成される。シートＰＤ２の１対の主面のうちの他方の主面に他方の画像Ｇ１３が形成される。画像Ｇ１２と画像Ｇ１３との各々には、第２配置情報が割り当てられている。
【００９８】
実施形態２の制御部２１は、複数の画像の各々からキーワードＫＥを検出する。そして、制御部２１は、キーワードＫＥを含む画像に対して、複数の配置情報のうちキーワードＫＥが示す配置情報を割り当てる。更に、制御部２１は、複数の配置情報のうちキーワードＫＥが示す配置情報と異なる配置情報を、複数の画像のうちの１以上の画像に割り当てる。また、制御部２１は、画像形成部１４が、キーワードＫＥが示す配置情報及び異なる配置情報にしたがって、複数のシートＰに複数の画像を形成するように、画像形成部１４を制御する。この結果、印刷ジョブに配置情報を含める作業を省略できて、ユーザーの利便性を更に向上できる。
【００９９】
次に、図１と図１３〜図１５を参照して、実施形態２の制御部２１が実行する処理を説明する。図１５は、実施形態２の制御部２１が実行する処理のフローチャートを示す図である。制御部２１が実行する処理は、ステップＳ３０１〜ステップＳ３１３を含む。
【０１００】
ステップＳ３０１において、制御部２１は、印刷ジョブを受け付けるまで待機する。処理は、ステップＳ３０３に進む。
【０１０１】
ステップＳ３０３において、制御部２１は、割り当て処理を実行する。割り当て処理は、図１２を参照して説明した処理と同じであるため、説明を省略する。処理は、ステップＳ３０５に進む。
【０１０２】
ステップＳ３０５において、制御部２１は、複数の画像の各々がキーワードＫＥを含むか否かを判定する。画像がキーワードＫＥを含まない場合（ステップＳ３０５において、Ｎｏ）、処理はステップＳ３１３に進む。画像がキーワードＫＥを含む場合（ステップＳ３０５において、Ｙｅｓ）、処理はステップＳ３０７に進む。
【０１０３】
ステップＳ３０５でＹｅｓの場合、ステップＳ３０７において、制御部２１は、キーワードＫＥを含む画像に対して、複数の配置情報のうちの１つを割り当てる。具体的には、制御部２１は、キーワードＫＥを含む画像に対して、キーワードＫＥに対応する配置情報を割り当てる。処理はステップＳ３０９に進む。
【０１０４】
ステップＳ３０９において、制御部２１は、画像形成部１４がキーワードＫＥに対応する配置情報に基づいてシートＰに画像を形成するように、画像形成部１４を制御する。処理はステップＳ３１１に進む。
【０１０５】
ステップＳ３１１において、制御部２１は、画像形成部１４がステップＳ３０３の割り当て処理で割り当てられた配置情報に基づいて、ステップＳ３０９で形成された画像と異なる画像をシートＰに形成するように、画像形成部１４を制御する。処理は終了する。
【０１０６】
ステップＳ３０５でＮｏの場合、ステップＳ３１３において、制御部２１は画像形成部１４がステップＳ３０３の割り当て処理で割り当てられた配置情報に基づいてシートＰに画像を形成するように、画像形成部１４を制御する。処理は終了する。
【０１０７】
なお、制御部２１は、複数の画像の各々からキーワードＫＥを検出しない場合、複数の配置情報のうち第３配置情報を割り当ててもよい。更に、制御部２１は、複数の配置情報のうち第３配置情報と異なる配置情報を、複数の画像のうちの１以上の画像に割り当てる。また、制御部２１は、画像形成部１４が、第３配置情報及び第３配置情報と異なる配置情報にしたがって、複数のシートＰに複数の画像を形成するように、画像形成部１４を制御する。したがって、画像に記号が含まない場合、片面２ｉｎ１でシートＰに画像を形成できる。この結果、印刷ジョブに配置情報を含める作業を省略できて、ユーザーの利便性を更に向上できる。
【０１０８】
［実施形態３］
次に、図１と図１６と図１７とを参照して、本発明の実施形態３に係る制御部２１が実行する処理を説明する。
【０１０９】
実施形態３に係る制御部２１が実行する処理は、タイトルを含む画像に配置情報を割り当てる処理を含む。実施形態３に係る画像形成装置１００のその他の構成は、実施形態１に係る画像形成装置１００の構成と同様であり、説明を省略する。以下、主に実施形態３が実施形態１と異なる点を説明する。
【０１１０】
図１６は、画像読取ユニット２が読み取った画像を示す図である。
【０１１１】
図１６（ａ）は、画像読取ユニット２が読み取った画像Ｇ２１を示す図である。画像Ｇ２１は、フォントサイズが異なる複数の文字列を含む。画像Ｇ２１は、第１サイズの文字列ＦＳ１と第２サイズの文字列ＦＳ２を含む。第２サイズの文字列ＦＳ２は、第１サイズの文字列ＦＳ１とフォントサイズが異なる。第２サイズの文字列ＦＳ２は、第１サイズの文字列ＦＳ１よりも大きいフォントサイズの文字列を示す。第２サイズの文字列ＦＳ２は、例えば、文書のタイトルを示す。文書のタイトルは、「ＡＡＡＡＡＡＡＡＡＡ」である。
【０１１２】
図１６（ｂ）は、画像読取ユニット２が読み取った画像Ｇ２２を示す図である。画像Ｇ２２は、第１サイズの文字列ＦＳ１を含む。図１６（ｃ）は、画像読取ユニット２が読み取った画像Ｇ２３を示す図である。画像Ｇ２３は、第１サイズの文字列ＦＳ１を含む。
【０１１３】
図１６（ｄ）は、画像読取ユニット２が読み取った画像Ｇ２４を示す図である。画像Ｇ２４は、第１サイズの文字列ＦＳ１と第２サイズの文字列ＦＳ２を含む。画像Ｇ２４の第２サイズの文字列ＦＳ２は、例えば、文書のタイトルを示す。文書のタイトルは、「ＢＢＢＢＢＢＢＢＢＢＢ」である。画像Ｇ２４の文書のタイトルは、図２１（ａ）の画像Ｇ２１の文書のタイトルと異なる。
【０１１４】
図１６（ｅ）は、画像読取ユニット２が読み取った画像Ｇ２５を示す図である。画像Ｇ２５は、第１サイズの文字列ＦＳ１を含む。図１６（ｆ）は、画像読取ユニット２が読み取った画像Ｇ２６を示す図である。画像Ｇ２６は、第１サイズの文字列ＦＳ１を含む。
【０１１５】
図１７は、画像形成装置１００が画像を形成したシートＰＥ１〜シートＰＥ４を示す図である。
【０１１６】
図１７（ａ）は、画像形成装置１００が画像を形成したシートＰＥ１を示す図である。シートＰＥ１には、図１６に示す画像Ｇ２１と画像Ｇ２２とが形成される。具体的には、シートＰＥ１の１対の主面のうちの一方の主面に一方の画像Ｇ２１が形成される。シートＰ１の１対の主面のうちの他方の主面に他方の画像Ｇ２２が形成される。
【０１１７】
図１７（ｂ）は、画像形成装置１００が画像を形成したシートＰＥ２を示す図である。シートＰ２には、図１６に示す画像Ｇ３が形成される。
【０１１８】
図１７（ｃ）は、画像形成装置１００が画像を形成したシートＰＥ３を示す図である。シートＰ３には、図１６に示す画像Ｇ２４と画像Ｇ２５とが形成される。具体的には、シートＰ３の１対の主面のうちの一方の主面に一方の画像Ｇ４が形成される。シートＰ３の１対の主面のうちの他方の主面に他方の画像Ｇ５が形成される。
【０１１９】
図１７（ｄ）は、画像形成装置１００が画像を形成したシートＰＥ４を示す図である。シートＰ４には、図１６に示す画像Ｇ６が形成される。
【０１２０】
実施形態３の制御部２１は、複数の画像の各々から閾値以上の大きさの記号を検出する。そして、制御部２１は、複数の画像のうち記号を含む画像を、記号を含む画像の直前に位置する画像が形成されるシートＰと異なるシートＰに形成するように、画像形成部１４を制御する。したがって、閾値以上の大きさの記号を含む画像を、シートＰの表面と裏面とのうちの表面に形成できる。この結果、画像を見やすく印刷できる。
【０１２１】
例えば、画像に割り当てられた配置情報が第２配置情報の場合、図１６に示す画像Ｇ２４は、シートＰの裏面に形成される。つまり、画像Ｇ２３はシートＰの表面に形成され、画像Ｇ２４はシートＰの裏面に形成される。したがって、画像２４のタイトルを探す場合、ユーザーはシートＰの裏面を確認する必要があり煩わしい。しかし、実施形態３の発明によれば、タイトルを含む画像Ｇ２４は、画像Ｇ２３と別のシートＰに形成される。したがって、ユーザーがタイトルを含む画像を探すことが容易となり、画像を見やすいように印刷できる。
【０１２２】
次に、図１と図１６〜図１８とを参照して、実施形態３の制御部２１が実行する処理を説明する。図１８は、実施形態３の制御部２１が実行する処理のフローチャートを示す図である。実施形態３の制御部２１が実行する処理は、ステップＳ４０１〜ステップＳ４１１を含む。
【０１２３】
ステップＳ４０１において、制御部２１は、印刷ジョブを受け付けるまで待機する。処理は、ステップＳ４０３に進む。
【０１２４】
ステップＳ４０３において、制御部２１は、割り当て処理を実行する。割り当て処理は、図１２を参照して説明した処理と同じであるため、説明を省略する。処理は、ステップＳ４０５に進む。
【０１２５】
ステップＳ４０５において、制御部２１は、画像形成部１４が形成する画像の順番において、閾値以上の記号を含む画像の直前に画像が位置するか否かを判定する。閾値以上の記号を含む画像の直前に画像が位置しない場合（ステップＳ４０５において、Ｎｏ）、処理はステップＳ４１１に進む。閾値以上の記号を含む画像の直前に画像が位置する場合（ステップＳ４０５において、Ｙｅｓ）、処理はステップＳ４０７に進む。
【０１２６】
ステップＳ４０５でＹｅｓの場合、ステップＳ４０７において、制御部２１は、割り当て処理で割り当てられた配置情報に基づいて、画像形成部１４が閾値以上の記号を含む画像の直前の画像までをシートＰに形成するように、画像形成部１４を制御する。処理はステップＳ４０９に進む。
【０１２７】
ステップＳ４０９において、制御部２１は、割り当て処理で割り当てられた配置情報に基づいて、画像形成部１４が閾値以上の記号を含む画像とステップＳ４０５で形成された画像と異なる画像とをシートＰに形成するように、画像形成部１４を制御する。処理は終了する。
【０１２８】
ステップＳ４０５でＮｏの場合、ステップＳ４１１において、制御部２１は画像形成部１４がステップＳ４０３の割り当て処理で割り当てられた配置情報に基づいてシートＰに画像を形成するように、画像形成部１４を制御する。処理は終了する。
【０１２９】
［実施形態４］
次に、図１と図１１と図１２を参照して、本発明の実施形態４に係る制御部２１が実行する処理を説明する。
【０１３０】
実施形態４に係る制御部２１が実行する処理は、カラー画像をモノクロ画像に変更する処理を含む。実施形態４に係る画像形成装置１００のその他の構成は、実施形態１に係る画像形成装置１００の構成と同様であり、説明を省略する。以下、主に実施形態４が実施形態１と異なる点を説明する。
【０１３１】
実施形態４の制御部２１は、複数の画像ごとに画像がカラーであるか否かを判定する。そして、制御部２１は、カラーであると判定された画像をモノクロに変更する。したがって、シートＰに形成する画像をモノクロの画像にできる。この結果、ユーザーがカラーの画像をモノクロの画像に変更する操作を省略できる。
【０１３２】
次に、図１と図１１と図１２と図１９とを参照して、実施形態４の制御部２１が実行する処理を説明する。図１９は、実施形態４の制御部２１が実行する処理のフローチャートを示す図である。実施形態４の制御部２１が実行する処理は、ステップＳ５０１〜ステップＳ５０９を含む。
【０１３３】
ステップＳ５０１において、制御部２１は、印刷ジョブを受け付けるまで待機する。処理は、ステップＳ５０３に進む。
【０１３４】
ステップＳ５０３において、制御部２１は、割り当て処理を実行する。割り当て処理は、図１２を参照して説明した処理と同じであるため、説明を省略する。処理は、ステップＳ５０５に進む。
【０１３５】
ステップＳ５０５において、制御部２１は、画像がカラーであるか否かを判定する。画像がカラーでない場合（ステップＳ５０５において、Ｎｏ）、処理はステップＳ５０９に進む。画像がカラーである場合（ステップＳ５０５において、Ｙｅｓ）、処理はステップＳ５０７に進む。
【０１３６】
ステップＳ５０５でＹｅｓの場合、ステップＳ５０７において、制御部２１は、カラーの画像であると判定された画像をモノクロの画像に変更する。処理は、ステップＳ５０９に進む。
【０１３７】
ステップＳ５０５でＮｏの場合、または、ステップＳ５０７の後に、ステップＳ５０９において、制御部２１は画像形成部１４がステップＳ５０３の割り当て処理で割り当てられた配置情報に基づいてシートＰに画像を形成するように、画像形成部１４を制御する。処理は終了する。
【０１３８】
以上、図面を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【０１３９】
本発明は、画像形成装置の分野に利用可能である。
【符号の説明】
【０１４０】
４        操作表示部（受付け部）
１４      画像形成部
２１      制御部
Ｐ        シート
【図１】
2020112652.tif 000003
【図２】
2020112652.tif 000004
【図３】
2020112652.tif 000005
【図４】
2020112652.tif 000006
【図５】
2020112652.tif 000007
【図６】
2020112652.tif 000008
【図７】
2020112652.tif 000009
【図８】
2020112652.tif 000010
【図９】
2020112652.tif 000011
【図１０】
2020112652.tif 000012
【図１１】
2020112652.tif 000013
【図１２】
2020112652.tif 000014
【図１３】
2020112652.tif 000015
【図１４】
2020112652.tif 000016
【図１５】
2020112652.tif 000017
【図１６】
2020112652.tif 000018
【図１７】
2020112652.tif 000019
【図１８】
2020112652.tif 000020
【図１９】
2020112652.tif 000021